(57)【要約】      （修正有）【課題】アクティブシャッタメガネに内蔵された電池の残量を気にせずに、ユーザの利便性を向上することを可能とする投写型映像表示装置を提供する。【解決手段】投写型映像表示装置１００は、光源から出射される光を変調するＤＭＤ及びＤＭＤによって変調された光を投写面上に投写する投写ユニットを収容する筐体２００を備える。筐体２００の背面２２０には、投写型映像表示装置１００に外部電源４００から電力を供給するための外部電源ポート２２１が設けられる。筐体２００の背面２２０又は天面２１０には、アクティブシャッタメガネ３００に電力を供給するための電源ポート２２２が設けられる。【選択図】図１
2013092741.tif 000002
【特許請求の範囲】
【請求項１】
光源から出射される光を変調する光変調素子及び前記光変調素子によって変調された光を投写面上に投写する投写ユニットを収容する筐体を備えており、フロント投写型の投写型映像表示装置であって、
前記筐体の背面には、前記投写型映像表示装置に外部電源から電力を供給するための外部電源ポートが設けられており、
前記筐体の背面又は天面には、アクティブシャッタメガネに電力を供給するための電源ポートが設けられることを特徴とする投写型映像表示装置。
【請求項２】
前記電源ポートは、前記筐体の背面に設けられており、
前記電源ポートは、ＵＳＢポートであることを特徴とする請求項１に記載の投写型映像表示装置。
【請求項３】
前記電源ポートは、前記筐体の天面に設けられており、
前記電源ポートは、非接触タイプのポートであることを特徴とする請求項１に記載の投写型映像表示装置。
【発明の詳細な説明】
【技術分野】
【０００１】
本発明は、光源から出射される光を変調する光変調素子と、光変調素子によって変調された光を投写面上に投写する投写ユニットとを有する投写型映像表示装置に関する。
【背景技術】
【０００２】
従来、光源から出射される光を変調する光変調素子と、光変調素子によって変調された光を投写面上に投写する投写ユニットとを備える投写型映像表示装置が知られている。
【０００３】
近年では、複数の視点画像（例えば、左目視点画像及び右目視点画像）によって構成される立体画像を表示する投写型映像表示装置も提案されている（例えば、特許文献１）。例えば、このような立体画像を視聴するために、アクティブシャッタメガネが用いられる。アクティブシャッタメガネは、左目用シャッタ及び右目用シャッタを有しており、各シャッタを交互に閉じることによって、各視点画像を適切な目で視聴可能である。
【先行技術文献】
【特許文献】
【０００４】
【特許文献１】特開平０８−３２２０６５号公報
【発明の概要】
【発明が解決しようとする課題】
【０００５】
上述したように、アクティブシャッタメガネは、各シャッタを開閉する電源が必要である。一般的には、アクティブシャッタメガネは、電池などを内蔵しており、アクティブシャッタメガネに内蔵された電池は、充電装置から供給される電力によって充電される。
【０００６】
ここで、投写型映像表示装置と充電装置とが別体として設けられる場合には、アクティブシャッタメガネに内蔵された電池の残量が無くなることを想定して、投写型映像表示装置とともに充電装置を持ち運ぶ必要がある。このような充電装置の携帯は、ユーザにとって煩雑である。
【０００７】
そこで、本発明は、上述した課題を解決するためになされたものであり、アクティブシャッタメガネに内蔵された電池の残量を気にせずに、ユーザの利便性を向上することを可能とする投写型映像表示装置を提供することを目的とする。
【課題を解決するための手段】
【０００８】
第１の特徴に係る投写型映像表示装置は、フロント投写型の投写型映像表示装置である。投写型映像表示装置は、光源（光源１０）から出射される光を変調する光変調素子（ＤＭＤ６０）及び前記光変調素子によって変調された光を投写面上に投写する投写ユニット（投写ユニット７０）を収容する筐体（筐体２００）を備える。前記筐体の背面（背面２２０）には、前記投写型映像表示装置に外部電源（外部電源４００）から電力を供給するための外部電源ポート（外部電源ポート２２１）が設けられる。前記筐体の背面又は天面（天面２１０）には、アクティブシャッタメガネ（アクティブシャッタメガネ３００）に電力を供給するための電源ポート（電源ポート２２２）が設けられる。
【０００９】
第１の特徴において、前記電源ポートは、前記筐体の背面に設けられる。前記電源ポートは、ＵＳＢポートである。
【００１０】
第１の特徴において、前記電源ポートは、前記筐体の天面に設けられる。前記電源ポートは、非接触タイプのポートである。
【発明の効果】
【００１１】
本発明によれば、アクティブシャッタメガネに内蔵された電池の残量を気にせずに、ユーザの利便性を向上することを可能とする投写型映像表示装置を提供することができる。
【図面の簡単な説明】
【００１２】
【図１】図１は、第１実施形態に係る投写型映像表示装置１００を示す図である。
【図２】図２は、第１実施形態に係る投写型映像表示装置１００を示す図である。
【図３】図３は、第１実施形態に係るカラーホイール４０を示す図である。
【図４】図４は、第１実施形態に係る同期信号の出力タイミングを示す図である。
【図５】図５は、変更例１に係る投写型映像表示装置１００を示す図である。
【図６】図６は、変更例２に係る投写型映像表示装置１００を示す図である。
【発明を実施するための形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
実施形態に係る投写型映像表示装置は、フロント投写型の投写型映像表示装置である。投写型映像表示装置は、光源から出射される光を変調する光変調素子及び前記光変調素子によって変調された光を投写面上に投写する投写ユニットを収容する筐体を備える。前記筐体の背面には、前記投写型映像表示装置に外部電源から電力を供給するための外部電源ポートが設けられる。前記筐体の背面又は天面には、アクティブシャッタメガネに電力を供給するための電源ポートが設けられる。
【００１６】
実施形態では、投写型映像表示装置は、フロント投写型であり、アクティブシャッタメガネに電力を供給するための電源ポートが設けられる。従って、アクティブシャッタメガネに電力を供給するための充電装置などを投写型映像表示装置と別体として持ち運ぶ必要がなく、アクティブシャッタメガネに内蔵された電池の残量を気にせずに、ユーザの利便性を向上することができる。
【００１７】
実施形態では、筐体の背面又は天面に電源ポートが設けられる。従って、投写面上に投写される映像の視認性を妨げることなく、電源ポートからアクティブシャッタメガネに電力を供給することができる。
【００１８】
［第１実施形態］
（投写型映像表示装置の構成）
以下において、第１実施形態に係る投写型映像表示装置について説明する。図１は、第１実施形態に係る投写型映像表示装置１００を示す図である。
【００１９】
第１実施形態では、投写型映像表示装置１００は、フロント投写型のプロジェクタである。また、投写型映像表示装置１００は、立体画像の表示に対応するプロジェクタである。
【００２０】
具体的には、投写型映像表示装置１００は、様々な光学素子などを収容する筐体２００を有する。筐体２００は、天面２１０及び背面２２０を有する。天面２１０は、筐体２００を構成する面のうち、設置面と対向する底面の反対側に設けられる面である。背面２２０は、筐体２００を構成する面のうち、投写面の反対側に設けられる面である。
【００２１】
第１に、背面２２０には、外部電源４００から投写型映像表示装置１００に電力を供給するための外部電源ポート２２１が設けられる。外部電源ポート２２１には、例えば、外部電源４００に接続された電源ケーブルが差し込まれる。外部電源４００は、例えば、ＡＣ電源である。
【００２２】
第２に、背面２２０には、投写型映像表示装置１００からアクティブシャッタメガネ３００に電力を供給するための電源ポート２２２が設けられる。電源ポート２２２には、アクティブシャッタメガネ３００に接続される電源ケーブルが差し込まれる。電源ポート２２２は、例えば、ＵＳＢポートである。
【００２３】
第３に、背面２２０には、パーソナルコンピュータやＤＶＤプレーヤなどの外部機器から映像信号や音声信号を取得するための端子群が設けられていてもよい。端子群には、外部機器に接続されるＡＶケーブルの端子が差し込まれる。
【００２４】
第１実施形態において、アクティブシャッタメガネ３００は、左目用シャッタ及び右目用シャッタを有しており、投写型映像表示装置１００から受信する同期信号に応じて、各シャッタを交互に閉じる機能を有する。アクティブシャッタメガネ３００は、各シャッタを駆動するモータに電力を供給する電池を内蔵することが好ましい。
【００２５】
（光学構成）
以下において、第１実施形態に係る投写型映像表示装置の光学構成について説明する。図２は、第１実施形態に係る投写型映像表示装置１００の光学構成を示す図である。なお、図２に示す光学構成は、筐体２００に収容される。
【００２６】
図２に示すように、投写型映像表示装置１００は、光源１０と、フライアイレンズ２０と、ＰＢＳアレイ３０と、カラーホイール４０と、ロッドインテグレータ５０と、ＤＭＤ６０と、投写ユニット７０とを有する。また、投写型映像表示装置１００は、必要なレンズ群（レンズ１１１〜レンズ１１４）を有する。
【００２７】
光源１０は、白色光を出射するＵＨＰランプなどである。すなわち、光源１０が出射する白色光は、赤成分光Ｒ、緑成分光Ｇ及び青成分光Ｂを少なくとも含む。白色光は、黄成分光Ｙｅ及びシアン成分光Ｃｙを含んでいる。
【００２８】
フライアイレンズ２０は、光源１０が出射する白色光を均質化する素子である。詳細には、フライアイレンズ２０は、複数の微小レンズを有しており、各レンズから出射される光は、ＤＭＤ６０に照射される。
【００２９】
ＰＢＳアレイ３０は、光源１０が出射する白色光の偏光方向を揃える素子（Ｐｏｌａｒｉｚｅｄ  Ｂｅａｍ  Ｓｐｌｉｔｔｅｒ）である。
【００３０】
カラーホイール４０は、光源１０が出射する白色光の光軸に沿って延びる回転軸４０Ｘを中心として回転するように構成される。カラーホイール４０は、光源１０が出射する白色光を透過する透過型回転体である。
【００３１】
詳細には、カラーホイール４０は、図３に示すように、赤領域４０Ｒ、Ｇ領域４０Ｇ、青領域４０Ｂ、黄領域４０Ｙｅ、シアン領域４０Ｃｙ及び白領域４０Ｗを有する。赤領域４０Ｒは、赤に対応する波長帯を有する赤成分光Ｒを透過する領域である。Ｇ領域４０Ｇは、緑に対応する波長帯を有する緑成分光Ｇを透過する領域である。青領域４０Ｂは、青に対応する波長帯を有する青成分光Ｂを透過する領域である。黄領域４０Ｙｅは、黄に対応する波長帯を有する黄成分光Ｙｅを透過する領域である。シアン領域４０Ｃｙは、シアンに対応する波長帯を有するシアン成分光Ｃｙを透過する領域である。白領域４０Ｗは、白に対応する波長帯を有する白色光を透過する領域である。
【００３２】
ロッドインテグレータ５０は、ガラスなどの透明部材によって構成されており、ロッド状の形状を有する。具体的には、ロッドインテグレータ５０は、光入射面と、光出射面と、光入射面から光出射面に亘って設けられる光反射側面とを有する。ロッドインテグレータ５０は、ロッドインテグレータ５０に入射する光を均一化する。
【００３３】
ＤＭＤ６０は、複数の微小ミラーによって構成されており、複数の微小ミラーは可動式である。各微小ミラーは、基本的に１画素に相当する。ＤＭＤ６０は、各微小ミラーの角度を変更することによって、投写ユニット７０側に光を反射するか否かを切り替える。
【００３４】
投写ユニット７０は、ＤＭＤ６０から出射された光（映像光）を投写面上に投写する。
【００３５】
（同期信号）
以下において、第１実施形態に係る同期信号の出力タイミングについて説明する。図４は、第１実施形態に係る同期信号の出力タイミングを説明するための図である。
【００３６】
図４に示すように、２次元画像を表示するモード（３Ｄ  ｏｆｆ  モード）では、赤領域４０Ｒ、Ｇ領域４０Ｇ、青領域４０Ｂ、黄領域４０Ｙｅ、シアン領域４０Ｃｙ及び白領域４０Ｗを透過する光がＤＭＤ６０で変調されて投写面上に導かれる。
【００３７】
一方で、立体画像（３次元画像）を表示するモード（３Ｄ  ｏｎ  モード）では、赤領域４０Ｒ、Ｇ領域４０Ｇ、青領域４０Ｂ、黄領域４０Ｙｅ及びシアン領域４０Ｃｙを透過する光がＤＭＤ６０で変調されて投写面上に導かれる。ここで、白領域４０Ｗを透過する光は投写面上に導かれずに、白領域４０Ｗから光を出射すべきタイミング（期間）において、投写型映像表示装置１００とアクティブシャッタメガネ３００との同期をとるための同期信号が出力される。これによって、アクティブシャッタメガネ３００の受光部において、同期信号の誤検出が抑制される。
【００３８】
（作用及び効果）
第1実施形態では、投写型映像表示装置１００は、フロント投写型であり、アクティブシャッタメガネ３００に電力を供給するための電源ポート２２２が設けられる。従って、アクティブシャッタメガネ３００に電力を供給するための充電装置などを投写型映像表示装置１００と別体として持ち運ぶ必要がなく、アクティブシャッタメガネ３００に内蔵された電池の残量を気にせずに、ユーザの利便性を向上することができる。
【００３９】
実施形態では、筐体２００の背面２２０に電源ポート２２２が設けられる。従って、投写面上に投写される映像の視認性を妨げることなく、電源ポート２２２からアクティブシャッタメガネ３００に電力を供給することができる。
【００４０】
［変更例１］
以下において、第１実施形態の変更例１について説明する。以下においては、第１実施形態に対する相違点について主として説明する。
【００４１】
具体的には、変更例１では、図５に示すように、電源ポート２２２には、分配機５００が接続されており、分配機５００には、複数のアクティブシャッタメガネ３００が接続される。
【００４２】
変更例１では、分配機５００を介して、複数のアクティブシャッタメガネ３００に投写型映像表示装置１００から電力が供給されるため、複数のユーザがアクティブシャッタメガネ３００に内蔵された電池の残量を気にせずに立体画像を視聴することが可能である。
【００４３】
［変更例２］
以下において、第１実施形態の変更例２について説明する。以下においては、第１実施形態に対する相違点について主として説明する。
【００４４】
具体的には、第１実施形態では、筐体２００の背面２２０に電源ポート２２２が設けられる。これに対して、変更例２では、図６に示すように、筐体２００の天面２１０に電源ポート２２２が設けられる。
【００４５】
変更例２では、電源ポート２２２は、非接触タイプのポートである。すなわち、アクティブシャッタメガネ３００を天面２１０に置くだけで、アクティブシャッタメガネ３００に投写型映像表示装置１００から電力が供給される。
【００４６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００４７】
実施形態では、光変調素子として、ＤＭＤ６０を例示した。しかしながら、実施形態はこれに限定されるものではない。光変調素子は、液晶パネルであってもよい。
【００４８】
実施形態では、単板タイプの投写型映像表示装置１００について例示した。しかしながら、実施形態はこれに限定されるものではない。実施形態は、３板タイプの投写型映像表示装置１００に適用されてもよい。
【００４９】
実施形態では、白色光を出射する光源１０について例示した。しかしながら、実施形態はこれに限定されるものではない。しかしながら、光源１０は、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの固体光源であってもよい。
【符号の説明】
【００５０】
１０…光源、２０…フライアイレンズ、３０…ＰＢＳアレイ、４０…カラーホイール、５０…ロッドインテグレータ、６０…ＤＭＤ、７０…投写ユニット、１００…投写型映像表示装置、２００…筐体、２１０…天面、２２０…背面、２２１…外部電源ポート、２２２…電源ポート、３００…アクティブシャッタメガネ、４００…外部電源、５００…分配機
【図１】
2013092741.tif 000003
【図２】
2013092741.tif 000004
【図３】
2013092741.tif 000005
【図４】
2013092741.tif 000006
【図５】
2013092741.tif 000007
【図６】
2013092741.tif 000008